(57)【要約】【課題】記録した記録材を分類し易いように、撮影装置毎又は撮影毎に未記録の記録材を挿入する。【解決手段】Ｓ１において、画像記録装置は放射線画像撮影装置からの画像記録情報を受信する。画像記録装置は画像記録情報を受信すると、Ｓ２において、画像送信情報を解析する。そして、接続が成功したか否かを判断する。接続が失敗したと判断し、Ｓ３に進み接続エラーを通知した後に処理を終了する。Ｓ２において、接続に成功したと判断した場合にはＳ４に進み、画像情報、ＤＩＣＯＭ  ＴＡＧ情報を受信する。次に、Ｓ５において、このＤＩＣＯＭ  ＴＡＧ情報を解析し、画像記録装置内の設定を変更し、Ｓ６において画像の記録処理を実行し、記録材に画像情報を記録した後に排出する。そして、最後にＳ７において、仕切紙として未記録の記録材を排出して終了する。【選択図】図５
2008141301.tif 000002
【特許請求の範囲】
【請求項１】
記録材上に医用情報を記録する画像記録装置において、複数の前記記録材を分類するために、前記記録材間に未記録の記録材を挿入することを特徴とする画像記録装置。
【請求項２】
医用情報を記録した後及び／又は医用情報を記録する前に、未記録の前記記録材を搬送することを特徴とする請求項１に記載の画像記録装置。
【請求項３】
医用情報を記録した後及び／又は医用情報を記録する前に、異なる種類の未記録の前記記録材を搬送することを特徴とする請求項１に記載の画像記録装置。
【請求項４】
患者及び／又は検査装置及び／又は医療情報の転送元端末毎に、未記録の前記記録材を搬送することを特徴とする請求項１に記載の画像記録装置。
【請求項５】
未記録の前記記録材を搬送する際は、搬送速度を速めることを特徴とする請求項１〜４の何れか１つの請求項に記載の画像記録装置。
【発明の詳細な説明】
【技術分野】
【０００１】
本発明は、記録した記録材の分類が容易に区別できる機能を有する画像記録装置に関するものである。
【背景技術】
【０００２】
蓄積性蛍光体とは、或る種の蛍光体にＸ線、α線、β線、γ線、電子線、紫外線等の放射線を照射すると、放射線エネルギの一部が蛍光体中に蓄積され、可視光等の励起光の照射により蓄積された放射線エネルギに応じて輝尽発光する。この蓄積性蛍光体を利用して、人体等の被写体のＸ線画像情報を一旦、蓄積性蛍光体に記録し、蓄積性蛍光体をレーザー光等で走査することにより輝尽発光光を発生させ、輝尽発光光を光電的に読み取ることにより画像信号を得ている。
【０００３】
そして、特許文献１、２に示すように、この画像信号に基づいて写真感光材料等の記録材、ＣＲＴ等の表示装置に被写体のＸ線画像を可視像として出力させる画像記録装置が提案されている。そして、このような撮影装置を一般にＣＲ（Computed Radiography）と呼んでいる。
【０００４】
また、近年においては、半導体センサを使用して同様にＸ線画像を撮影する装置が開発されている。これらのシステムは、従来の銀塩写真を用いるＸ線写真システムと比較すると、極めて広いＸ線露出域に渡って画像を記録できると云う実用的な利点を有している。
【０００５】
即ち、特許文献３に示すように、極めて広いダイナミックレンジのＸ線を光電変換手段により読み取ることにより電気信号に変換し、この電気信号を銀塩フィルムにレーザー光を用いて露光する。そして、画像を可視像として出力させることにより、Ｘ線露光量の変動に影響されないＸ線画像を得ることができる。このような撮影装置は一般にはＤＲ（Digital Radiography）と呼ばれている。
【０００６】
また、画像記録装置の銀塩フィルム方式は、廃液処理の問題やコスト等の問題から、湿式処理から乾式処理のプリンタが代用されてきている。その１つにインクに熱エネルギを作用させることにより、インク滴を吐出させるインクジェット記録方法を応用したものがある。
【０００７】
例えば、特許文献４に示すインクジェット方式は、出力媒体として銀塩フィルムに似せた透過フィルムの他に、コストの安い紙にも出力が可能である。
【０００８】
【特許文献１】特開昭５５−１２４２９号公報
【特許文献２】特開昭５６−１１３９５号公報
【特許文献３】特開平８−１１６０４４号公報
【特許文献４】特開平１０−１５７０８８号公報
【発明の開示】
【発明が解決しようとする課題】
【０００９】
従来、ＣＴ（Computed Tomography）、ＭＲＩ（Magnetic Resonance Imaging）、超音波画像診断装置等の様々な検査装置により撮影された画像情報を記録する画像記録装置は、ネットワークを介して接続している。そして、ＤＩＣＯＭ（Digital Imaging and Communication in Medicine）規格に基づいて情報の送受信を行うことにより、画像を記録している。
【００１０】
ＤＩＣＯＭ規格は、複数の検査装置から医用情報を記録する検査装置を識別する情報と、画像情報を記録する装置を識別する情報、記録対象となる画像のサイズや種類、記録材のサイズや種類等から成る付帯情報と画像が送信される。画像記録装置は、この付帯情報を解析することにより、記録するためのパラメータを取得し画像を記録する。
【００１１】
このような画像記録装置は、画像が記録された記録材を排出する１つの排出口と、この排出口から排出された記録材を保持する１つの排出トレイを有している。
【００１２】
しかし、１つの画像記録装置にＣＲやＤＲの異なるＸ線撮影装置、ＣＴ、ＭＲＩ等の断層撮影装置、超音波画像診断装置のように異なる撮影装置から画像が送信され、画像の記録された記録材が排出されることもある。このように、１つの画像記録装置に種々の撮影装置の画像を転送して出力する場合には、１つの排出トレイ上に画像の記録した記録材が混在してしまう。
【００１３】
本発明の目的は、上述の課題を解消し、異なる方式の装置からの画像が同一の排出トレイに出力されても、分類作業が容易となるような画像記録装置を提供することにある。
【課題を解決するための手段】
【００１４】
上記目的を達成するための本発明に係る画像記録装置の技術的特徴は、記録材上に医用情報を記録する画像記録装置において、複数の前記記録材を分類するために、前記記録材間に未記録の記録材を挿入することにある。
【発明の効果】
【００１５】
本発明に係る画像記録装置によれば、種々の撮影装置の画像を転送して出力する際に、撮影装置毎又は撮影毎に未記録の記録材を挿入することにより、記録した記録材を分類し易くすることができる。
【発明を実施するための最良の形態】
【００１６】
本発明を図示の実施例に基づいて詳細に説明する。
【実施例１】
【００１７】
図１は本実施例における撮影装置により撮影された画像を画像記録装置により記録を行う場合の構成図を示している。例えば、ＬＡＮから成るネットワーク１を介して放射線画像撮影装置２、超音波画像診断装置３、画像記録装置４が接続されている。
【００１８】
この画像記録装置４は放射線画像撮影装置２及び超音波画像診断装置３において撮影した画像を記録する。また、ネットワーク１は各装置を接続し、ネットワーク１を介して医用情報の送受信が行われている。
【００１９】
図２は画像記録装置４の構成図を示しており、この画像記録装置４の記録方法は、記録データに従いインクを吐出することにより、記録材上に画像を形成するインクジェット記録方法である。
【００２０】
この画像記録装置４は給紙装置１１と画像を記録する画像記録部１２とを備えており、給紙装置１１は積層収納された未使用の記録材Ｐを収納する２つの記録材収納手段１３、１４を有している。給紙装置１１は上段の記録材収納手段１３から記録材Ｐを繰り出すための繰り出しローラ１５を有している。更に、繰り出しローラ１５により分離して繰り出された記録材Ｐを搬送するための給送ローラ１６と、この給送ローラ１６に圧接し記録材Ｐを挟持して搬送するための圧接ローラ１７を有している。
【００２１】
同様に、下段の記録材収納手段１４から記録材Ｐを繰り出すための繰り出しローラ１８を有している。この繰り出しローラ１８により分離して繰り出された記録材Ｐを搬送するための給送ローラ１９と、この給送ローラ１９に圧接し、記録材Ｐを挟持して搬送するための圧接ローラ２０を有している。
【００２２】
この給紙装置１１によって繰り出される記録材Ｐの搬送経路は、湾曲した湾曲搬送経路２１を形成するＵターンガイド板２２及び回転自在な大径の回転体から成るＵターンローラ２３から構成されている。この湾曲搬送経路２１を形成するＵターンローラ２３の外周部にはＵターンローラゴム２４が装着されており、Ｕターンローラ軸２５を回転中心に回転可能に装着されている。湾曲搬送経路２１に連続して、左方向へ導くように、直線搬送路２６が連続して配置されている。
【００２３】
更に、この直線搬送路２６の下流には、画像記録部１２が配置され、この画像記録部１２内には、画像形成時に記録材Ｐを左方向に所定量ずつ間欠的に搬送する２組の紙送りローラ対２７、２８が設けられている。これらの紙送りローラ対２７、２８の間には、インクジェット記録ヘッド２９とプラテン板３０が配置されている。インクジェット記録ヘッド２９はキャリッジ３１に載置されている。このキャリッジ３１は紙送りローラ対２７、２８の回転軸と略平行に配置されたキャリッジガイドによって搬送方向に略直交する方向に移動可能に保持されている。
【００２４】
なお、このインクジェット記録ヘッド２９には、供給されるインクを収納するオンキャリッジタンク３２が接続されており、このオンキャリッジタンク３２はインクジェット記録ヘッド２９と共にキャリッジ３１に載置されている。そして、紙送りローラ対２８の出口には、排紙トレイ３３が設けられている。
【００２５】
給紙に際して、記録材収納手段１３に積層収納された記録材Ｐは繰り出しローラ１５とにより繰り出され、給送ローラ１６と圧接ローラ１７により挟持され、湾曲搬送経路２１に搬送される。記録材Ｐはこの湾曲搬送経路２１において進行方向が変更され、画像記録部１２に搬送される。
【００２６】
記録材Ｐが搬送されると、キャリッジ３１は紙送りローラ対２７、２８の間欠搬送が停止しているときに作動し、この際にプラテン板３０上に導かれた記録材Ｐにインクジェット記録ヘッド２９からインクが吐出されて画像形成が行われる。なお、記録中は給送ローラ１６が記録材Ｐの挟持を開放するために駆動力を遮断することにより、従動回転して搬送抵抗を軽減させ、より高精細な出力画像が得られるよう構成されている。
【００２７】
そして、画像記録部１２において画像形成動作が終了すると、記録材Ｐは紙送りローラ対２８から排紙され、排紙トレイ３３上に載置される。記録終了後に、引き続き同種サイズの記録材Ｐに記録する場合には、同様の手順により搬送・記録が履行される。
【００２８】
図３は図１に示す装置構成において送受信される画像記録情報４１の内容の説明図である。画像記録情報４１は放射線画像撮影装置２と、画像記録装置４を論理的に接続するためのアソシエーション情報４２と、記録する画像に関する画像記録パラメータ４３から構成されている。
【００２９】
アソシエーション情報４２は画像送信装置ＡＥタイトル（Application Entity）４４、画像受信装置ＡＥタイトル４５、ＩＰアドレス４６から構成されている。なお、画像送信装置ＡＥタイトル４４は画像撮影装置２の情報を示し、画像受信装置ＡＥタイトル４５は画像記録装置４の情報を示し、ＩＰアドレス４６は画像記録装置４のネットワーク１上の位置を示す情報である。画像記録パラメータ４３は記録対象となる画像情報４７と、この画像に関する付帯情報であるＤＩＣＯＭ  ＴＡＧ情報４８から構成されている。
【００３０】
図４は図３に示す画像に関する付帯情報であるＤＩＣＯＭ  ＴＡＧ情報４８の一例の使用説明図を示している。ＤＩＣＯＭ  ＴＡＧ情報４８には、記録材Ｐの種類を示す媒体タイプ、画像記録時の優先度を示すプリント優先度、記録材Ｐ上の画像配置を指定する画像表示フォーマット、記録材の記録方向を示すフィルム方向の情報を有している。更に、記録材Ｐのサイズを示すフィルムサイズＩＤ、記録時の拡大方法を示す拡大タイプ、記録材Ｐが表現可能な濃度を示す最低濃度、最高濃度等の記録材Ｐと記録に関する条件を表す情報を有している。
【００３１】
一般に、上下２段の記録材収納手段１３、１４は、それぞれ異なる種類の記録材Ｐを収納している。そして、放射線画像撮影装置２等から送信されてくるＤＩＣＯＭ  ＴＡＧ情報４８の媒体タイプ又はフィルムサイズＩＤの情報により、繰り出しローラ１５、１８の駆動を切換えることによって、記録材Ｐを切換えている。
【００３２】
画像の記録前後に、放射線画像撮影装置２から送信されてきたＤＩＣＯＭ  ＴＡＧ情報４８の媒体タイプ又はフィルムサイズＩＤとは異なる記録材Ｐを、未記録で搬送することによって、記録した記録材Ｐのセットの分類作業がし易くなる。
【００３３】
図５は動作フローチャート図を示している。先ずステップＳ１において、画像記録装置４は放射線画像撮影装置２又は超音波画像診断装置３からの画像記録情報４１を受信する。画像記録情報４１の送受信は、アソシエーション情報４２内のＩＰアドレス４６を基に行われる。そして、放射線画像撮影装置２、超音波画像診断装置３は画像の記録を行う画像記録装置４に付与されたＩＰアドレスに対して、画像記録情報４１を送信する。
【００３４】
画像記録装置４は画像記録情報４１を受信すると、ステップＳ２において、画像記録情報４１内のアソシエーション情報４２を解析する。そして、画像受信装置ＡＥタイトル４５が画像記録装置４に付与されたものと同一であるかを確認することにより、接続が成功したか否かを判断する。同一でない場合には接続が失敗したと判断し、ステップＳ３に進み、接続エラーを通知した後に処理を終了する。ステップＳ２において画像受信装置ＡＥタイトル４５が画像記録装置４に付与されたものと同一である場合には、接続に成功したと判断し、ステップＳ４に進み、画像情報４７とＤＩＣＯＭ  ＴＡＧ情報４８を受信する。
【００３５】
次に、ステップＳ５において、画像情報４７、ＤＩＣＯＭ  ＴＡＧ情報４８を解析し、画像記録装置４内の設定を変更し、ステップＳ６において画像の記録処理を実行し、記録材Ｐに画像情報４７を記録した後に排出する。そして、最後にステップＳ７において、仕切紙として未記録の記録材Ｐを排出して終了する。
【００３６】
図６は別の動作フローチャート図を示し、図５において説明したアソシエーション情報４２を解析するステップＳ２まで同じである。ステップＳ２において、画像受信装置ＡＥタイトル４５が画像記録装置４に付与されたものと同一である場合には接続に成功したと判断する。
【００３７】
続いてステップＳ１１において、先ず仕切紙として未記録の記録材Ｐを排出した後に、ステップＳ１２において画像情報４７、ＤＩＣＯＭ  ＴＡＧ情報４８を受信する。ステップＳ１３においてＤＩＣＯＭ  ＴＡＧ情報４８を解析し、画像記録装置４内の設定を変更する。そして、ステップＳ１４において画像の記録処理を実行し、記録材Ｐに画像情報４７を記録し排出し終了する。
【００３８】
なお、図５のフローチャート図と同様に、ステップＳ２において同一でない場合には、ステップＳ３において接続エラーを通知して処理を終了する。
【実施例２】
【００３９】
図７は実施例２における画像記録情報４１のアソシエーション情報４２を基に未記録の記録材Ｐを挿入する動作フローチャート図である。先ずステップＳ２１において、画像記録装置４は放射線画像撮影装置２、超音波画像診断装置３からの画像記録情報４１を受信する。画像記録情報４１の送受信はアソシエーション情報４２内のＩＰアドレス４６を基に行われ、放射線画像撮影装置２、超音波画像診断装置３は画像記録装置４に付与されたＩＰアドレスに対して、画像記録情報４１を送信する。
【００４０】
ステップＳ２２において画像記録装置４は画像記録情報４１を受信すると、アソシエーション情報４２を解析し、画像受信装置ＡＥタイトル４５が画像記録装置４に付与されたものと同一であるかを確認する。同一でないと判断された場合には、ステップＳ２３において接続エラーを通知して処理を終了する。
【００４１】
ステップＳ２２において、画像受信装置ＡＥタイトル４５が画像記録装置４に付与されたものと同一である場合には、接続に成功したと判断し、ステップＳ２４に進み画像情報４７、ＤＩＣＯＭ  ＴＡＧ情報４８を受信する。ステップＳ２５においてＤＩＣＯＭ  ＴＡＧ情報４８を解析し、画像記録装置４内の設定を変更した後に、ステップＳ２６において画像の記録処理を実行する。
【００４２】
次に、ステップＳ２７においてアソシエーション情報４２及びＤＩＣＯＭ  ＴＡＧ情報４８の解析処理を行う。例えば、図８に示すような画像送信装置毎に未記録の記録材Ｐを挿入するか、また挿入する記録材Ｐを決定しておくテーブル５０を画像記録装置４内の記録部に保持しておき、このテーブル５０を基に解析処理を行う。アソシエーション情報４２内の画像送信装置ＡＥタイトル４４を読み込み、ＣＴ、ＭＲＩ、超音波画像の場合には、記録材Ｐを挿入するためにステップＳ２８に進み、仕切紙として未記録の記録材Ｐを排出して終了する。一方、画像送信装置ＡＥタイトル４４がＣＲやＤＲの場合は、記録材Ｐを挿入しないので処理を終了する。
【００４３】
図９は実施例２における別の動作フローチャート図を示しており、図７で説明した画像情報４７、ＤＩＣＯＭ  ＴＡＧ情報４８を受信するステップＳ２２まで同じである。ステップＳ３１においてアソシエーション情報４２及びＤＩＣＯＭ  ＴＡＧ情報４８の解析処理テーブルを基に未記録の記録材Ｐの排出をするか否かを判断する。未記録の記録材Ｐを排出すると判断した場合には、ステップＳ３２に進み、未記録の記録材Ｐを排出した後にステップＳ３３に進み、ＤＩＣＯＭ  ＴＡＧ情報４８を解析する。
【００４４】
ステップＳ３１において未記録の記録材Ｐを排出しないと判断した場合には、未記録の記録材Ｐを排出せずにステップＳ３３に進む。次に、ステップＳ３４においてＤＩＣＯＭ  ＴＡＧ情報４８を解析し、画像記録装置４内の設定を変更した後に、ステップＳ３５において画像の記録処理を実行し、処理を終了する。
【００４５】
上述の実施例においては、アソシエーション情報４２及びＤＩＣＯＭ  ＴＡＧ情報４８の解析処理をし、画像送信装置ＡＥタイトル４４を利用した。しかし、図１０に示すような検査装置及び／又は医療情報の転送元端末のＩＰアドレス毎に挿入の有無を決めたテーブル５１を保持し、このテーブル５１を基に未記録の記録材の排出を決定してもよい。
【００４６】
更に、ステップＳ３１において、ＤＩＣＯＭ  ＴＡＧ情報４８の患者情報を基に未記録の記録材Ｐの排出を決定してもよい。また、ステップＳ３２における未記録の記録材Ｐの排出は、画像記録時の搬送より速度を速めてもよい。給送ローラ１６、１９やＵターンローラ２３の回転駆動を速めることにより、記録材Ｐの搬送を速くすることができる。記録材Ｐのシート後端が紙送りローラ対２８に掛かる際には、回転駆動を通常に戻すことで、排紙トレイ３３に排出された記録材Ｐが、煩雑に積載されることを防止できる。
【００４７】
以上の説明では、本発明の好ましい実施例について述べたが、本発明はこれらの実施例に限定されないことは云うまでもなく、その要旨の範囲内で種々の変形及び変更が可能である。
【図面の簡単な説明】
【００４８】
【図１】画像撮影装置により撮影された画像を画像記録装置で記録する場合の構成図である。
【図２】画像記録装置の構成図である。
【図３】画像記録情報の説明図である。
【図４】ＤＩＣＯＭ  ＴＡＧ情報の使用説明図である。
【図５】実施例１の動作フローチャート図である。
【図６】実施例１の別の動作フローチャート図である。
【図７】実施例２の動作フローチャート図である。
【図８】記録材の挿入決定テーブルの説明図である。
【図９】実施例２の別の動作フローチャート図である。
【図１０】記録材の挿入決定テーブルの説明図である。
【符号の説明】
【００４９】
２  放射線画像撮影装置
３  超音波画像診断装置
４  画像記録装置
１１  給紙装置
１２  画像記録部
１３、１４  記録材収納手段
２９  インクジェット記録ヘッド
３１  キャリッジ
３３  排紙トレイ
４１  画像記録情報
４２  アソシエーション情報
４３  画像記録パラメータ
４４  画像送信装置ＡＥタイトル
４５  画像受信装置ＡＥタイトル
４６  ＩＰアドレス
４７  画像情報
４８  ＤＩＣＯＭ  ＴＡＧ情報
５０、５１  テーブル
Ｐ  記録材
【図１】
2008141301.tif 000003
【図２】
2008141301.tif 000004
【図３】
2008141301.tif 000005
【図４】
2008141301.tif 000006
【図５】
2008141301.tif 000007
【図６】
2008141301.tif 000008
【図７】
2008141301.tif 000009
【図８】
2008141301.tif 000010
【図９】
2008141301.tif 000011
【図１０】
2008141301.tif 000012